(57)【要約】【課題】  メールの自動送信により通信環境における輻輳状態の助長を防止する。【解決手段】  電源がオンされたり、圏外から圏内に移動したり、移動の結果として現在位置をカバーする移動通信網のセルが変化した場合に、移動通信端末装置にとっての通信環境が輻輳状態にあると推定されるか否かが判定される（ステップ１４１〜１４５）。この判定が否定的な場合には、メモリに保存された自動送信すべきメールが自動送信される（ステップ１４７）。一方、移動通信端末装置にとっての通信環境が輻輳状態にあると推定される判定された場合には、輻輳状態でなくなったと推定されるようになったかが観測される。そして、輻輳状態が解消されたと推定されると、メモリに保存された自動送信すべきメールが自動送信される。【選択図】  図６
2005159649.tif 000002
【特許請求の範囲】
【請求項１】
移動通信端末装置のメモリに保存された自動送信すべきメールを送信するメール送信方法であって、
前記移動通信端末装置が、前記移動通信端末装置にとっての通信環境が輻輳状態にあると推定されるか否かを判定する輻輳判定工程と；
前記輻輳判定工程における判定が否定的な場合に、前記移動通信端末装置が前記自動送信すべきメールを送信する第１メール送信工程と；
前記輻輳判定工程における判定が肯定的な場合に、前記移動通信端末装置が、前記移動通信端末装置にとっての通信環境の輻輳状態でなくなったと推定されるか否かを判定する輻輳解消判定工程と；
前記輻輳解消判定工程における判定が肯定的な場合に、前記移動通信端末装置が前記自動送信すべきメールを送信する第２メール送信工程と；を備えるメール送信方法。
【請求項２】
前記輻輳判定工程では、前記移動通信端末装置は、同一の基地局との間の通信による新たな位置登録が連続的に少なくとも１回失敗した場合に、前記移動通信端末装置にとっての通信環境が輻輳状態にあると推定する、ことを特徴とする請求項１に記載のメール送信方法。
【請求項３】
前記輻輳解消判定工程では、前記移動通信端末装置は、輻輳状態にあると判定した時に通信していた基地局とは異なる基地局との間の通信による新たな位置登録が所定回数連続して失敗しなかった場合に、前記移動通信端末装置にとっての通信環境の輻輳状態が解消したと推定する、ことを特徴とする請求項１又は２に記載のメール送信方法。
【請求項４】
前記輻輳解消判定工程では、前記移動通信端末装置は、自動送信すべきメールの送信以外の通信動作が正常終了した場合に、前記移動通信端末装置にとっての通信環境の輻輳状態が解消したと推定する、ことを特徴とする請求項１〜３のいずれか一項に記載のメール送信方法。
【請求項５】
前記移動通信端末装置において、電源の再投入時には、前記輻輳状態にあるとの判定結果がリセットされている、ことを特徴とする請求項１〜４のいずれか一項に記載のメール送信方法。
【請求項６】
自動送信すべきメールを保存するメモリと；
前記自動送信すべきメールを送信するための通信環境が輻輳状態にあるか否かを判定する輻輳状態判定手段と；
前記輻輳判定手段によって肯定的な判定がなされた後に、前記自動送信すべきメールを送信するための通信環境が輻輳状態ではなくなったか否かを判定する輻輳解消判定手段と；
前記輻輳判定手段によって否定的な判定がなされた場合、及び、輻輳解消判定手段により肯定的な判定がなされた場合に、前記自動送信すべきメールを送信する自動メール送信手段と；を備える移動通信端末装置。
【発明の詳細な説明】
【技術分野】
【０００１】
本発明は、メール送信方法及び移動通信端末装置に係り、より詳しくは移動通信端末装置のメモリに保存された自動送信すべきメールを送信するメール送信方法、及び、当該メール通信方法を使用する移動通信端末装置に関するものである。
【背景技術】
【０００２】
従来から、携帯電話等の移動体端末装置が広く普及している。こうした移動体端末装置は、音声通話機能に加えて、メール処理機能（メールの作成、メールの送受信、受信メール内容の表示等）を有しており、移動体端末装置を利用したメールの送受信が盛んに行われている。
【０００３】
このような移動体端末装置によるメールの送受信においては、個々のメールの送信に加えて、自動的な複数のメールの連続的な送信（以下、「メールの自動連続送信」ともいう）も行われている。こうした、複数のメールの連続的な送信に際しては、移動通信端末装置の利用者が移動通信端末装置の操作部を操作して、連続自動送信すべき複数のメールを選択した後、送信指令を行うと、選択された複数のメールが順次送信されるようになっている。
【０００４】
また、例えば圏外で作成されたメールを、圏内に移動したときに自動的に送信する等といった、あらかじめ作成されたメールを自動送信する「送信予約メール機能」の技術も実用化されている（非特許文献１参照）。
【非特許文献１】ＺＤＮｅｔ，“ボーダフォン、高輝度液晶「Ｖ３０１Ｄ」とメガピクセル「Ｖ４０１ＳＨ」発表”、［on line］，2003.10.6，［2003年10月28日検索］、インターネット＜URL:http://www.zdnet.co.jp/mobile/0310/06/n_vodafone.html＞
【発明の開示】
【発明が解決しようとする課題】
【０００５】
上述した従来の移動通信端末装置における複数メールの自動連続送信や送信予約メール機能によるメールの自動送信は、利用者の利便性を向上させるという観点からは、非常に優れたものである。しかしながら、自動的にメールの送信を行うことから、手動によるメールの送信と比べると、飛躍的にトラフィック量が多くなる可能性がある。
【０００６】
このため、トラフィックの輻輳状態が発生している地域で、上述した複数メールの自動連続送信や送信予約メール機能によるメールの自動送信が行われると、トラフィックの輻輳を助長することになる。ましてや、これらの自動送信を行う移動通信端末装置がメールの再送機能を有している場合には、トラフィックの輻輳の助長が深刻なものとなりかねない。
【０００７】
本発明は、上記の事情を鑑みてなされたものであり、メールの自動送信により通信環境における輻輳状態の助長を防止することができるメール送信方法を提供することを目的とする。
【０００８】
また、本発明は、メールの自動送信により通信環境における輻輳状態の助長を防止することができる移動通信端末装置を提供することを目的とする。
【課題を解決するための手段】
【０００９】
本発明のメール送信方法は、移動通信端末装置のメモリに保存された自動送信すべきメールを送信するメール送信方法であって、前記移動通信端末装置が、前記移動通信端末装置にとっての通信環境が輻輳状態にあると推定されるか否かを判定する輻輳判定工程と；前記輻輳判定工程における判定が否定的な場合に、前記移動通信端末装置が前記自動送信すべきメールを送信する第１メール送信工程と；前記輻輳判定工程における判定が肯定的な場合に、前記移動通信端末装置が、前記移動通信端末装置にとっての通信環境の輻輳状態でなくなったと推定されるか否かを判定する輻輳解消判定工程と；前記輻輳解消判定工程における判定が肯定的な場合に、前記移動通信端末装置が前記自動送信すべきメールを送信する第２メール送信工程と；を備えるメール送信方法である。
【００１０】
このメール送信方法では、電源がオンされたり、圏外から圏内に移動したり、移動の結果として現在位置をカバーする移動通信網のセルが変化した場合に、輻輳判定工程において、移動通信端末装置にとっての通信環境が輻輳状態にあると推定されるか否かが判定される。この輻輳判定工程において否定的な判定がされたとき、すなわち移動通信端末装置にとっての通信環境が輻輳状態にはないときは、第１メール送信工程において、移動通信端末装置のメモリに保存された自動送信すべきメールが送信される。
【００１１】
一方、輻輳判定工程において肯定的な判定がされたとき、すなわち移動通信端末装置にとっての通信環境が輻輳状態にあるときは、その後、輻輳解消判定工程が実行されて、移動通信端末装置にとっての通信環境の輻輳状態でなくなったと推定されるか否かが判定される。この輻輳解消判定工程において否定的な判定がなされている間、すなわち移動通信端末装置にとっての通信環境において輻輳状態が継続していると推定されている間は、移動通信端末装置のメモリに保存された自動送信すべきメールの送信を見合わせる。そして、輻輳解消判定工程において否定的な判定がなされる、すなわち移動通信端末装置にとっての通信環境において輻輳状態が解消されたと推定されると、第２メール送信工程において、移動通信端末装置のメモリに保存された自動送信すべきメールが送信される。
【００１２】
すなわち、本発明のメール送信方法では、移動通信端末装置にとっての通信環境が輻輳状態にあるときには、メールの自動送信が見合わされる。そして、輻輳状態が解消したと推定できたときにメールの自動送信が実行される。したがって、本発明のメール送信方法によれば、メールの自動送信により、移動通信端末装置にとっての通信環境の輻輳状態を助長することを防止することができる。
【００１３】
本発明のメール送信方法では、前記輻輳判定工程において、前記移動通信端末装置が、同一の基地局との間の通信による新たな位置登録が連続的に少なくとも１回失敗した場合に、前記移動通信端末装置にとっての通信環境が輻輳状態にあると推定することとすることができる。この場合には、電源がオンされたり、圏外から圏内に移動したり、移動の結果として現在位置をカバーする位置移動通信網のセルが変化したりしたときに最初の段階で行われるとともに、通信環境が輻輳状態にあるときには失敗する可能性が高い位置登録の結果により、移動通信端末装置にとっての通信環境が輻輳状態にあるか否かを判定する。このため、通信環境が輻輳状態にあるか否かを適切なタイミングかつ手法により判定することができる。
【００１４】
また、本発明のメール送信方法では、前記輻輳解消判定工程において、前記移動通信端末装置は、輻輳状態にあると判定した時に通信していた基地局とは異なる基地局との間の通信による新たな位置登録が所定回数連続して失敗しなかった場合に、前記移動通信端末装置にとっての通信環境の輻輳状態が解消したと推定することとすることができる。この場合には、移動の結果として現在位置をカバーする位置移動通信網のセルが変化したときに最初の段階で行われるとともに、通信環境が輻輳状態にあるときには失敗する可能性が高い位置登録の結果により、移動通信端末装置にとっての通信環境の輻輳状態が解消したか否かを判定する。このため、通信環境の輻輳状態が解消したか否かを適切なタイミングかつ手法により判定することができる。
【００１５】
また、本発明のメール送信方法では、前記輻輳解消判定工程において、前記移動通信端末装置が、自動送信すべきメールの送信以外の通信動作が正常終了した場合に、前記移動通信端末装置にとっての通信環境の輻輳状態が解消したと推定することとすることができる。この場合には、輻輳状態が継続しているときには、移動通信端末装置において異常終了する可能性が高い通信動作のうちでペンディング中のメールの自動送信以外の通信動作が正常終了した場合に、移動通信端末装置にとっての通信環境の輻輳状態が解消したと推定する。このため、通信環境の輻輳状態が解消したか否かを適切な手法により判定することができる。
【００１６】
また、本発明のメール送信方法では、前記移動通信端末装置において、電源の再投入時には、前記輻輳状態にあるとの判定結果がリセットされていることとすることができる。この場合には、移動通信端末装置における不揮発性の書込／読出可能な記憶領域を、輻輳状態にあるとの判定結果の記憶に割り当てずに済む。
【００１７】
本発明の移動通信端末装置は、自動送信すべきメールを保存するメモリと；前記自動送信すべきメールを送信するための通信環境が輻輳状態にあるか否かを判定する輻輳状態判定手段と；前記輻輳判定手段によって肯定的な判定がなされた後に、前記自動送信すべきメールを送信するための通信環境が輻輳状態ではなくなったか否かを判定する輻輳解消判定手段と；前記輻輳判定手段によって否定的な判定がなされた場合、及び、輻輳解消判定手段により肯定的な判定がなされた場合に、前記自動送信すべきメールを送信する自動メール送信手段と；を備える移動通信端末装置である。
【００１８】
この移動通信端末装置では、電源がオンされたり、圏外から圏内に移動したり、移動の結果として現在位置をカバーする移動通信網のセルが変化した場合に、輻輳判定手段により、移動通信端末装置にとっての通信環境が輻輳状態にあると推定されるか否かが判定される。この判定結果が否定的な場合には、メール送信手段によりメモリに保存されたメールが送信される。
【００１９】
一方、輻輳判定手段による判定結果が肯定的な場合には、輻輳解消判定手段により、移動通信端末装置にとっての通信環境の輻輳状態でなくなったと推定されるか否かが判定される。この判定の結果が否定的な間には、メモリに保存された自動送信すべきメールの自動送信を見合わせる。そして、輻輳解消判定手段による判定結果が肯定的となった時点において、メール送信手段によりメモリに保存された自動送信すべきメールが自動的に送信される。
【００２０】
すなわち、本発明の移動通信端末装置では、上述した本発明のメール送信方法を使用してメール送信を行うことができる。したがって、本発明の移動通信端末装置によれば、メール送信により移動通信端末装置にとっての通信環境の輻輳状態を助長することを防止することができる。
【発明の効果】
【００２１】
以上説明したように、本発明のメール送信方法によれば、移動通信端末装置からのメールの自動送信により通信環境における輻輳状態の助長を防止することができるという効果を奏する。
【００２２】
また、本発明の移動通信端末装置によれば、メールの自動送信により通信環境における輻輳状態の助長を防止することができるという効果を奏する。
【発明を実施するための最良の形態】
【００２３】
以下、本発明の一実施形態を、図１〜図７を参照して説明する。
【００２４】
図１及び図２には、一実施形態に係る移動通信端末装置である形態電話１０の構成が概略的に示されている。ここで、図１（Ａ）には、携帯電話１０の外観の正面図が示され、図１（Ｂ）には、携帯電話１０の外観の裏面図が示されている。また、図２には、携帯電話１０の機能ブロック構成が示されている。
【００２５】
図１及び図２において総合的に示されるように、携帯電話１０は、（ａ）制御部２１、送受信部２２及び記憶部２３を備える携帯電話本体１１と、（ｂ）電話番号を制御部２１へ入力するためのテンキー、及び、動作モードの切替等の各種指令を制御部２１へ入力するためのファンクションキーを有する操作部１２と、（ｃ）制御部２１による指令に応じて、操作案内、動作状況、受信メッセージ等を表示する液晶表示装置を有する表示部１３とを備えている。また、携帯電話１０は、（ｄ）通話時に通信相手から送られてきた音声信号を再生する通話用スピーカ１４と、通話時に音声を入力するためのマイクロフォン１５と、（ｅ）制御部２１による指令に応じて、着信音や案内音を発生するための案内用スピーカ１６とを備えている。更に、携帯電話１０は、（ｆ）送受信部２２と接続され、基地局との間で無線信号を授受するためのアンテナ１７とを備えている。
【００２６】
制御部２１は、図２に示されるように、その内部に、携帯電話１０の位置登録の処理を行う位置登録処理部２６と、自動送信が予約されたメール（以下、「予約メール」という）の送信処理を行う予約メール送信処理部２７と、予約メール送信処理以外の通信処理を行う各種通信処理部２８とを備えている。ここで、位置登録処理部２６は、位置登録処理の成功又は失敗を予約メール送信処理部２７へ通知するようになっている。また、各種通信処理部２８は、通話処理やメールの受信処理等といった予約メール送信処理以外の通信処理が正常終了した場合には、その旨を予約メール送信処理部２７へ通知するようになっている。
【００２７】
なお、本実施形態においては、制御部２１は、中央処理装置（ＣＰＵ）、デジタル信号処理装置（ＤＳＰ）等を備えており、メール送受信処理を含む携帯電話機能を実現するために、様々なデータ処理を行うとともに、上述した他の構成要素の動作制御を行うようになっている。ここで、上記の位置登録処理部２６、メール送信処理部２７及び各種通信処理部２８は、制御部２１で実行されるプログラムにより構成されるようになっている。
【００２８】
次に、以上のように構成された携帯電話１０による、記憶部２３に記憶された送信予約メールの送信の動作を、主に図３〜図７を参照しつつ説明する。
【００２９】
前提として、記憶部２３には予約メールが既に記憶されているものとする。また、電源がオンされたり、圏外から圏内に移動したり、移動の結果として現在位置をカバーする移動通信網のセルが変化したりして、新たな位置登録を行うことになったものとする。
【００３０】
まず、位置登録処理部２６による処理を説明する。
【００３１】
新たな位置登録を行うことになると、図３のステップ１１１において、その旨を位置登録処理部２６が予約メール発信処理部２７へ通知する。引き続き、ステップ１１２において、位置登録処理部２６が位置登録処理を行う。この位置登録処理は、位置登録処理部２６が、位置登録呼を無線リンクが確立している基地局に対して発信することにより行われる。
【００３２】
次に、ステップ１１３において、位置登録処理部２６が、位置登録処理が成功したか否かにかかわらず、位置登録処理の成功又は失敗という位置登録処理の結果を予約メール送信処理部２７へ通知する。引き続き、ステップ１１４において、位置登録処理部２６が、位置登録処理に成功したか否かを判定する。この判定が否定的であった場合には、処理はステップ１１２へ移行し、上述した位置登録の試行処理を繰り返す。そして、ステップ１１４において、肯定的な判定がなされると、位置登録処理が終了する。
【００３３】
次に、各種通信処理部２８による処理について説明する。この各種通信処理部２８による予約メール送信を除く各種通信処理は、利用者によって行われる操作による指令や、通話又はメールの着信等といった各種通信処理の指令を受けて開始する。
【００３４】
すなわち、図４のステップ１２１において、各種通信処理部２８が、各種通信処理の指令を受けたか否かを判定する。この判定が否定的であった場合には、処理はステップ１２１へ移行し、再度各種通信処理の指令を受けたか否かを判定する。
【００３５】
一方、ステップ１２１における判定が肯定的であった場合には、処理がステップ１２２へ移行する。このステップ１２２では、各種通信処理部２８が、開始通知がなされた通信処理を行う。この通信処理が終了すると、ステップ１２３において、各種通信処理部２８が、当該通信処理が正常終了したか否かを判定する。
【００３６】
ステップ１２３における判定が否定的であった場合には、処理はステップ１２４へ移行する。このステップ１２４においては、エラー表示等の異常終了処理が行われる。この後、処理はステップ１２１へ移行し、各種通信通信処理の開始通知を受けるのを待つ。なお、位置登録処理部２６による位置登録処理が成功するまでは、各種通信処理部２８による通信処理は、異常終了することになる。
【００３７】
一方、ステップ１２３における判定が肯定的であった場合には、処理はステップ１２５へ移行する。このステップ１２５においては、正常終了表示等の正常終了処理が行われる。そして、ステップ１２６において、各種通信処理部２８が、正常処理した旨が予約メール送信処理部２７へ通知する。この後、処理はステップ１２１へ移行し、各種通信通信処理の開始通知を受けるのを待つ。
【００３８】
次に、予約メール送信処理部２７による処理について説明する。
【００３９】
予約メール送信処理部２７は、上述したステップ１１１における新たな位置登録をする旨の通知を位置登録処理部から受けると、図５のステップ１３１において、輻輳フラグをＯＦＦとする。なお、この輻輳フラグは、記憶部２３における特定位置に割り当てられている。
【００４０】
引き続き、ステップ１３２において、メール送信処理部２７は、位置登録カウント値（ＰＲＣ）を０にリセットする。この位置登録カウント値は、記憶部２３における、輻輳フラグ位置とは異なる位置に割り当てられている。
【００４１】
こうして、新たな位置登録開始が通知されたことに伴う予約メール送信処理部２７による処理が終了する。
【００４２】
また、予約メール送信処理部２７は、上述したステップ１１３における位置登録処理の結果の通知を位置登録処理部２６から受けると、図６のステップ１４１において、輻輳フラグがＯＮか否かを判定する。この判定が肯定的であった場合には、位置登録結果が通知されたことに伴う予約メール送信処理部２７による処理が終了する。
【００４３】
一方、ステップ１４１における判定が否定的であった場合には、処理はステップ１４２へ移行する。このステップ１４２においては、予約メール送信処理部２７が、通知された位置登録結果に基づいて、位置登録が成功したか否かを判定する。
【００４４】
ステップ１４２における判定が否定的であった場合には、処理はステップ１４３へ移行する。このステップ１４３においては、予約メール送信処理部２７が、位置登録カウント値をインクリメントする。引き続き、ステップ１４４において、予約メール送信処理部２７が、インクリメントされた位置登録カウント値が所定数Ｎよりも大きくなったか否を判定する。なお、本実施形態では、所定数Ｎを２としている。
【００４５】
ステップ１４４における判定が否定的であった場合には、位置登録結果が通知されたことに伴う予約メール送信処理部２７による処理が終了する。一方、ステップ１４４における判定が肯定的であった場合には、処理はステップ１４５へ移行する。
【００４６】
ステップ１４５においては、予約メール送信処理部２７が、輻輳フラグをＯＮとする。そして、位置登録結果が通知されたことに伴う予約メール送信処理部２７による処理が終了する。
【００４７】
一方、ステップ１４２における判定が肯定的であった場合には、処理はステップ１４６へ移行する。このステップ１４６においては、予約メール送信処理部２７が、記憶部２３内に予約メールが保存されているか否かを判定する。この判定が否定的であった場合には、位置登録結果が通知されたことに伴う予約メール送信処理部２７による処理が終了する。
【００４８】
ステップ１４６における判定が肯定的であった場合、すなわち、通信環境が輻輳状態ではなく、かつ、予約メールが記憶部２３内に保存されている場合には、処理はステップ１４７へ移行する。このステップ１４７においては、予約メール送信処理部２７が、予約メールを自動送信する。そして、位置登録結果が通知されたことに伴う予約メール送信処理部２７による処理が終了する。
【００４９】
また、予約メール送信処理部２７は、上述したステップ１２６における正常終了の通知を各種通信処理部２８から受けると、図７のステップ１５１において、輻輳フラグがＯＮか否かを判定する。この判定が否定的であった場合には、予約メール送信以外の各種通信処理の正常終了が通知されたことに伴う予約メール送信処理部２７による処理が終了する。
【００５０】
一方、ステップ１５１における判定が肯定的であった場合には、処理はステップ１５２へ移行する。このステップ１５２においては、予約メール送信処理部２７が、輻輳フラグをＯＦＦとする。
【００５１】
引き続き、ステップ１５３において、予約メール送信処理部２７が、記憶部２３内に予約メールが保存されているか否かを判定する。この判定が否定的であった場合には、予約メール送信以外の各種通信処理の正常終了が通知されたことに伴う予約メール送信処理部２７による処理が終了する。
【００５２】
ステップ１５３における判定が肯定的であった場合、すなわち、通信環境における輻輳状態が解消し、かつ、予約メールが記憶部２３内に保存されている場合には、処理はステップ１５４へ移行する。このステップ１５４においては、予約メール送信処理部２７が、予約メールを自動送信する。そして、予約メール送信以外の各種通信処理の正常終了が通知されたことに伴う予約メール送信処理部２７による処理が終了する。
【００５３】
以上説明したように、本実施形態では、電源がオンされたり、圏外から圏内に移動したり、移動の結果として現在位置をカバーする移動通信網のセルが変化した場合に、携帯電話１０にとっての通信環境が輻輳状態にあると推定されるか否かが判定される。この判定が否定的な場合には、記憶部２３に保存された予約メールが自動送信される。一方、携帯電話１０にとっての通信環境が輻輳状態にあると推定されると判定された場合には、輻輳状態でなくなったと推定されるようになったかが観測される。携帯電話１０にとっての通信環境において輻輳状態が継続していると推定されている間は、予約メールの自動送信が見合わせられる。そして、輻輳状態が解消されたと推定されると、予約メールが自動送信される。したがって、本実施形態によれば、予約メールの自動送信により、携帯電話１０にとっての通信環境の輻輳状態を助長することを防止することができる。
【００５４】
また、電源がオンされたり、圏外から圏内に移動したり、移動の結果として現在位置をカバーする位置移動通信網のセルが変化したりしたときに最初の段階で行われるとともに、通信環境が輻輳状態にあるときには失敗する可能性が高い位置登録の結果により、携帯電話１０にとっての通信環境が輻輳状態にあるか否かを判定する。このため、通信環境が輻輳状態にあるか否かを適切なタイミングかつ手法により判定することができる。
【００５５】
また、移動の結果として現在位置をカバーする位置移動通信網のセルが変化したときに最初の段階で行われるとともに、通信環境が輻輳状態にあるときには失敗する可能性が高い位置登録の結果により、携帯電話１０にとっての通信環境の輻輳状態が解消したか否かを判定する。このため、通信環境の輻輳状態が解消したか否かを適切なタイミングかつ手法により判定することができる。
【００５６】
また、輻輳状態が継続しているときには、携帯電話１０において異常終了する可能性が高い通信動作のうちでペンディング中の予約メールの自動送信以外の通信動作が正常終了した場合に、携帯電話１０にとっての通信環境の輻輳状態が解消したと推定する。このため、通信環境の輻輳状態が解消したか否かを適切な手法により判定することができる。
【００５７】
なお、上記の実施形態では、位置登録に２回続けて失敗したら輻輳状態にあると推定することとした。これに対して、位置登録に１回失敗した場合に輻輳状態にあると推定することとしてもよいし、位置登録に３回以上の所定回数続けて失敗した場合に輻輳状態にあると推定することとしてもよい。
【００５８】
また、上記の実施形態では、予約メールの数を特に説明しなかったが、予約メールの数は１つであってもよいし、２つ以上であってもよい。さらに、予約メールの自動送信が失敗した場合には、リトライすることとしてもよい。
【００５９】
また、上記の実施形態では、電源がＯＮとなると必ず輻輳フラグをＯＦＦとすることとした。これに対して、当該電源ＯＮとする前の電源ＯＦＦの時点における輻輳フラグのＯＮ／ＯＦＦの状態をそのまま保持し、当該電源ＯＮ後の位置登録の結果等により輻輳フラグのＯＮ／ＯＦＦを変化させるようにしてもよい。
【００６０】
また、上記の実施形態では、移動通信端末装置を携帯電話としたが、他の種類の移動通信端末装置についても本発明を適用できることは勿論である。
【産業上の利用可能性】
【００６１】
以上説明したように、本発明のメール送信方法は、移動通信端末装置のメモリに保存された自動送信すべきメールの送信に適用することができる。また、本発明の移動通信端末装置は、メモリに保存された自動送信すべきメールの送信機能を有する移動通信端末装置に適用することができる。
【図面の簡単な説明】
【００６２】
【図１】本発明の一実施形態に係る携帯電話の外観構成を概略的に示す図である。
【図２】図１の携帯電話の内部構成を説明するための機能ブロック図である。
【図３】図２の位置登録部の動作を説明するためのフローチャートである。
【図４】図２の各種通信処理部の動作を説明するためのフローチャートである。
【図５】図２の予約メール通信処理部の動作を説明するためのフローチャート（その１）である。
【図６】図２の予約メール通信処理部の動作を説明するためのフローチャート（その２）である。
【図７】図２の予約メール通信処理部の動作を説明するためのフローチャート（その３）である。
【符号の説明】
【００６３】
１０…携帯電話（移動体端末装置）、１１…携帯電話本体、１２…操作部、１３…表示部、１４…通話用スピーカ、１５…マイクロフォン、１６…案内用スピーカ、１７…アンテナ、２１…制御部、２２…送受信部、２３…記憶装置、２６…位置登録部、２７…予約メール送信処理部、２８…各種通信処理部。
【図１】
2005159649.tif 000003
【図２】
2005159649.tif 000004
【図３】
2005159649.tif 000005
【図４】
2005159649.tif 000006
【図５】
2005159649.tif 000007
【図６】
2005159649.tif 000008
【図７】
2005159649.tif 000009